(57)【要約】【課題】１つのリモコン装置で操作可能にすると共に、スピーカ装置を安価に製造可能になるリモコン信号中継装置、ＡＶシステムを提供する。【解決手段】リモコン信号中継装置１０は、リモコン装置Ｒからの信号を中継してスピーカ装置（スピーカ装置５）あるいはＡＶ機器（テレビ受信装置１）に送信する。リモコン信号中継装置は、ＡＶ機器の機器受信部２を遮蔽する位置に設けられると共に、リモコン装置からの信号を受信する受信部１１と、受信した信号を解析する解析部１３と、信号の解析結果に基づいて、受信した信号を機器受信部に送信するか否かを判定する送信制御部１４と、受信した信号をスピーカ装置あるいは機器受信部に送信する送信部１５とを備える。送信制御部は、信号の解析結果が音声制御に関する信号であった場合、送信部からＡＶ機器への音声制御に関する信号の送信を禁止し、音声制御に関する信号を送信部からスピーカ装置に送信させる。【選択図】図２
2017169098.tif 000002
【特許請求の範囲】
【請求項１】
スピーカ装置とＡＶ機器に接続され、リモコン装置からの信号を中継して前記スピーカ装置あるいは前記ＡＶ機器に送信するリモコン信号中継装置であって、
該リモコン信号中継装置は、前記ＡＶ機器の機器受信部を遮蔽する位置に設けられると共に、前記リモコン装置からの信号を受信する受信部と、該受信部で受信した信号を解析する解析部と、該解析部による信号の解析結果に基づいて、前記受信部で受信した信号を前記ＡＶ機器の前記機器受信部に送信するか否かを判定する送信制御部と、前記受信部で受信した信号を前記スピーカ装置あるいは前記ＡＶ機器の前記機器受信部に送信する送信部とを備え、
前記送信制御部は、前記解析部による信号の解析結果が音声制御に関する信号であった場合、前記送信部から前記ＡＶ機器への当該音声制御に関する信号の送信を禁止し、当該音声制御に関する信号を前記送信部から前記スピーカ装置に送信させることを特徴とするリモコン信号中継装置。
【請求項２】
請求項１に記載のリモコン信号中継装置であって、
前記送信制御部は、前記解析部による信号の解析結果が電源のオン／オフ信号であった場合、当該電源のオン／オフ信号を前記送信部から前記ＡＶ機器および前記スピーカ装置に送信することを特徴とするリモコン信号中継装置。
【請求項３】
請求項１または２に記載のリモコン信号中継装置が、前記リモコン装置からの信号を中継して前記スピーカ装置あるいは前記ＡＶ機器に送信することを特徴とするＡＶシステム。
【発明の詳細な説明】
【技術分野】
【０００１】
本発明は、リモコン信号中継装置、ＡＶシステムに関し、詳細には、スピーカ装置とＡＶ機器に接続され、リモコン装置からの信号を中継してスピーカ装置あるいはＡＶ機器に送信するリモコン信号中継装置、ＡＶシステムに関する。
【背景技術】
【０００２】
リモコン装置は、スピーカ装置やＡＶ機器など種々の電子機器に標準装備されており、各リモコン装置を該当の電子機器に向けて操作することにより、遠く離れた場所から各電子機器を操作可能である。
一方、各リモコン装置を該当の電子機器に向けて操作するのは、ユーザにとって不便である。例えば、特許文献１には、リモコン信号中継装置の技術が開示されており、各リモコン装置をリモコン信号中継装置に向けて操作することで、該当の電子機器を操作することができる。
【０００３】
しかし、スピーカ装置を操作する場合には、スピーカ装置用のリモコン装置を持って操作し、ＡＶ機器を操作する場合には、ＡＶ機器用のリモコン装置に持ち替えて操作するのは、やはりユーザにとって不便である。例えば、特許文献２には、１つのリモコン装置で操作可能なリモコン信号中継装置の技術が開示されている。
【先行技術文献】
【特許文献】
【０００４】
【特許文献１】特開２００３−２８３４０６号公報
【特許文献２】特許第３１２８１４１号
【発明の概要】
【発明が解決しようとする課題】
【０００５】
しかしながら、上記特許文献２の技術では、ＡＶ機器が、その操作信号（コマンド）を、リモコン装置からリモコン信号中継装置を経由して受け取ると共に、リモコン装置から直接に受け取ることがある。ＡＶ機器が同じ信号を同時に受信すると、混線してコマンドを受け取れないし、ＡＶ機器が２回受信すると、ユーザの意図に反する動作をすることになる。
【０００６】
ここで、１つのリモコン装置で操作可能にする手法の一つとして、ＨＤＭＩ(登録商標)（High Definition Multimedia Interface）規格の中でＣＥＣ（Consumer Electronics Control）と呼ばれる仕組みが存在する。スピーカ装置とＡＶ機器との間で直接に制御信号をやり取りすることにより、例えば、ＡＶ機器用のリモコン装置からＡＶ機器に送った音量の制御信号を、ＡＶ機器では無視し、ＨＤＭＩ(登録商標)経由でスピーカ装置に送ってスピーカ装置の音量を制御することが可能になる。
【０００７】
しかしこの場合、ＨＤＭＩ(登録商標)の入出力可能な構成が、ＡＶ機器の他、スピーカ装置にも必要になる。つまり、スピーカ装置が、音だけでなく、映像を扱えるように構成（例えば入力された映像のパススルー機能）させるため、スピーカ装置を安価に製造できないという問題がある。
【０００８】
本発明は、上述のような実情に鑑みてなされたもので、１つのリモコン装置で操作可能にすると共に、スピーカ装置を安価に製造可能になるリモコン信号中継装置、ＡＶシステムを提供することを目的とする。
【課題を解決するための手段】
【０００９】
上記課題を解決するために、本発明の第１の技術手段は、スピーカ装置とＡＶ機器に接続され、リモコン装置からの信号を中継して前記スピーカ装置あるいは前記ＡＶ機器に送信するリモコン信号中継装置であって、該リモコン信号中継装置は、前記ＡＶ機器の機器受信部を遮蔽する位置に設けられると共に、前記リモコン装置からの信号を受信する受信部と、該受信部で受信した信号を解析する解析部と、該解析部による信号の解析結果に基づいて、前記受信部で受信した信号を前記ＡＶ機器の前記機器受信部に送信するか否かを判定する送信制御部と、前記受信部で受信した信号を前記スピーカ装置あるいは前記ＡＶ機器の前記機器受信部に送信する送信部とを備え、前記送信制御部は、前記解析部による信号の解析結果が音声制御に関する信号であった場合、前記送信部から前記ＡＶ機器への当該音声制御に関する信号の送信を禁止し、当該音声制御に関する信号を前記送信部から前記スピーカ装置に送信させることを特徴としたものである。
【００１０】
第２の技術手段は、第１の技術手段において、前記送信制御部は、前記解析部による信号の解析結果が電源のオン／オフ信号であった場合、当該電源のオン／オフ信号を前記送信部から前記ＡＶ機器および前記スピーカ装置に送信することを特徴としたものである。
【００１１】
第３の技術手段は、第１または第２の技術手段が、前記リモコン装置からの信号を中継して前記スピーカ装置あるいは前記ＡＶ機器に送信するＡＶシステムであることを特徴としたものである。
【発明の効果】
【００１２】
本発明によれば、リモコン信号中継装置がＡＶ機器の機器受信部を遮蔽する位置に設けられるので、ＡＶ機器は同じ信号を受信しない。また、音声制御に関する信号はＡＶ機器に送信しないで、スピーカ装置に送信されるので、スピーカ装置の例えば音量を制御する場合に、スピーカ装置に例えばＨＤＭＩ(登録商標)の入出力部を搭載しなくて済む。よって、１つのリモコン装置でＡＶ機器とスピーカとが操作可能になると共に、スピーカ装置を安価に製造することができる。
【図面の簡単な説明】
【００１３】
【図１】本発明の一実施形態によるＡＶシステムの概略構成を示す図である。
【図２】実施例１のリモコン信号中継装置の構成を示す図である。
【図３】実施例１の信号制御を説明するためのフローチャートである。
【図４】実施例２のリモコン信号中継装置の構成を示す図である。
【図５】実施例２の信号制御を説明するためのフローチャートである。
【図６】図５の妨害信号制御を説明するためのフローチャートである。
【発明を実施するための形態】
【００１４】
（実施例１）
以下、添付図面を参照しながら、本発明のリモコン信号中継装置、ＡＶシステムに係る好適な実施の形態について説明する。
図１は、本発明の一実施形態によるＡＶシステムの概略構成を示す図である。ＡＶシステムは、例えばテレビ受信装置１、スピーカ装置５、リモコン信号中継装置１０を備える。なお、テレビ受信装置１が本発明のＡＶ機器に相当し、スピーカ装置５が本発明のスピーカ装置に相当する。また図１ではＡＶシステムを側方から見ており、リモコン装置Ｒがテレビ受信装置１の正面側に配置されている。リモコン装置Ｒは、例えばテレビ受信装置用のリモコン装置である。
【００１５】
テレビ受信装置１は、入力映像信号に画像処理を行って映像を表示可能に構成されている。また、テレビ受信装置１は、リモコン装置Ｒからの信号（例えば赤外線信号：ＩＲ）を受光する受光部２を有する。なお、受光部２が本発明のＡＶ機器の機器受信部に相当する。受光部２は、例えばテレビ受信装置１の下枠に設けられて正面側からの信号を受け取ることができる。テレビ受信装置１は、後述のリモコン信号中継装置１０を経由することにより、その正面側からリモコン装置Ｒで遠隔操作可能である。
【００１６】
リモコン信号中継装置１０は、リモコン装置Ｒからの信号を中継してテレビ受信装置１やスピーカ装置５に送信できる。リモコン信号中継装置１０は、テレビ受信装置１の前方に配置され、例えば、受光部２を遮蔽する位置に設けられている。このため、テレビ受信装置１では、リモコン装置Ｒからの操作信号をリモコン装置Ｒから直接には受け取れず、リモコン信号中継装置１０を経由して受け取る。
【００１７】
スピーカ装置５は、例えばサウンドバーとして横方向に細長く形成されて、テレビ受信装置１の前方に配置される。スピーカ装置５は、ケーブル３を介してテレビ受信装置１と接続され、迫力のあるサラウンド音声を再生可能である。なお、受光部は備えていない。また、スピーカ装置５は、ケーブル４を介してリモコン信号中継装置１０と接続されており、リモコン信号中継装置１０を経由することにより、その正面側からリモコン装置Ｒによって遠隔操作可能である。
【００１８】
図２は、実施例１のリモコン信号中継装置の構成を示す図である。
リモコン信号中継装置１０は受信部１１や送信部１５を備える。受信部１１は正面側からの信号を受け取ることができる位置に設けられ、リモコン装置Ｒからの信号を受信する。送信部１５は、図１で説明したテレビ受信装置１の受光部２に対向する位置に設けられ、受信部１１で受信したリモコン装置Ｒからの信号をテレビ受信装置１あるいはスピーカ装置５に送信する。
【００１９】
また、リモコン信号中継装置１０は、ＣＰＵやメモリ（ＲＯＭ，ＲＡＭ）などを有し、記憶部１２、解析部１３、送信制御部１４を備えている。記憶部１２は、受信部１１で受信したリモコン装置Ｒからの信号を記憶可能である。解析部１３は、受信部１１で受信したリモコン装置Ｒからの信号を解析できる。送信制御部１４は、解析部１３による信号の解析結果に基づいて、受信部１１で受信したリモコン装置Ｒからの信号をテレビ受信装置１の受光部に送信するか否かを判定する。
【００２０】
なお、このリモコン信号中継装置１０は常に通電状態にあり、また、テレビ受信装置１の電源制御に必要な回路やスピーカ装置５の電源制御に必要な回路も常に通電状態にある。
【００２１】
図３は、実施例１の信号制御を説明するためのフローチャートである。
図２で説明したリモコン信号中継装置１０では、受信部１１がリモコン装置Ｒからの信号を受信する（ステップＳ１）。この受信結果は記憶部１２や解析部１３に出力され、記憶部１２がリモコン装置Ｒからの信号を一旦記憶し（ステップＳ２）、解析部１３がリモコン装置Ｒからの信号を解析する（ステップＳ３）。この解析結果は送信制御部１４に出力される。
【００２２】
送信制御部１４は、解析部１３による信号の解析結果が音声制御に関する信号であるか否かを判定する（ステップＳ４）。音声制御に関する信号には、例えば、音量、サラウンドのオン／オフ信号などの制御信号がある。
そして、解析部１３による信号の解析結果が音声制御に関する信号であった場合（ステップＳ４のＹＥＳ）、送信制御部１４は、送信部１５からテレビ受信装置１への当該音声制御に関する信号の送信を禁止し、当該音声制御に関する信号を送信部１５からスピーカ装置５に送信させる。これにより、送信部１５は、当該音声制御に関する信号を記憶部１２から呼び出し、図１で説明したケーブル４を経由してスピーカ装置５のみに送信する（ステップＳ５）。
【００２３】
このように、音声制御に関する信号はテレビ受信装置１に送信しないで、スピーカ装置５に送信されるので、１つのリモコン装置Ｒで操作可能になる。さらに、スピーカ装置５の例えば音量を制御する場合に、スピーカ装置５に例えばＨＤＭＩ(登録商標)の入出力部を搭載しなくて済むので、スピーカ装置５を安価に製造可能になる。
【００２４】
一方、解析部１３による信号の解析結果が音声制御に関する信号ではない場合（ステップＳ４のＮＯ）、ステップＳ６に進み、送信制御部１４は、解析部１３による信号の解析結果が電源のオン／オフ信号であるか否かを判定する（ステップＳ６）。
そして、解析部１３による信号の解析結果が電源のオン／オフ信号であった場合（ステップＳ６のＹＥＳ）、送信制御部１４は、当該電源のオン／オフ信号を送信部１５からテレビ受信装置１およびスピーカ装置５に送信させる。これにより、送信部１５は、当該電源のオン／オフ信号を記憶部１２から呼び出し、図１で説明したテレビ受信装置１の受光部２に向けて送信すると共に、ケーブル４を経由してスピーカ装置５に送信する（ステップＳ７）。
【００２５】
このように、電源のオン／オフ信号はテレビ受信装置１およびスピーカ装置５に送信されるので、テレビ受信装置１とスピーカ装置５を１つのリモコン装置Ｒで操作することができる。
【００２６】
これに対し、解析部１３による信号の解析結果が音声制御に関する信号ではなく（ステップＳ４のＮＯ）、かつ、電源のオン／オフ信号でもない場合（ステップＳ６のＮＯ）、ステップＳ８に進み、送信制御部１４は、音声制御に関する信号や電源のオン／オフ信号とは異なる、テレビ受信装置１に関する他の制御信号（例えばチャンネルの信号）を送信部１５からテレビ受信装置１に送信させる。これにより、送信部１５は、当該他の制御信号を記憶部１２から呼び出し、図１で説明したテレビ受信装置１の受光部２に向けて送信する（ステップＳ８）。
【００２７】
このように、１つのリモコン装置Ｒでテレビ受信装置１やスピーカ装置５を簡単に操作でき、かつ、安価に製造可能なＡＶシステムを提供することができる。
【００２８】
（実施例２）
ところで上記実施例１では、テレビ受信装置１とスピーカ装置５を１つのリモコン装置Ｒで操作するために、リモコン信号中継装置１０がテレビ受信装置１の受光部２を遮蔽する位置に設けられていた。
しかし、リモコン信号中継装置がテレビ受信装置の受光部を遮蔽しない位置に設けられる場合には、テレビ受信装置が、その操作信号をリモコン装置Ｒから直接に受け取らないようにする必要がある。そこで、以下の構成により、テレビ受信装置とスピーカ装置を１つのリモコン装置で操作可能にする。
【００２９】
図４は、実施例２のリモコン信号中継装置の構成を示す図である。
本実施例では、リモコン信号中継装置１０の送信制御部１４が、リモコン装置Ｒから受信した信号に基づいて、テレビ受信装置１を特定する信号であるか否かを判定できる。そして、送信制御部１４は、当該テレビ受信装置１を特定する信号であると判定した場合、このテレビ受信装置１がリモコン装置Ｒからの信号を受信できないように、このテレビ受信装置１に妨害信号１４ａを送信させる。送信部１５は、妨害信号１４ａをテレビ受信装置１の受光部に向けて送信する。
【００３０】
なお、この妨害信号１４ａは例えば送信制御部１４に格納されている。また、妨害信号１４ａは、リモコン信号中継装置１０の送信部１５からテレビ受信装置１の受光部にのみ届く程度に微弱な信号であり、反射などでリモコン信号中継装置１０の受信部１１には入り込まない。
【００３１】
この実施例２でも、送信制御部１４は、解析部１３による信号の解析結果に基づいて、受信部１１で受信したリモコン装置Ｒからの信号をテレビ受信装置１の受光部に送信するか否かを判定可能である。また、送信部１５は受信部１１で受信したリモコン装置Ｒからの信号をテレビ受信装置１あるいはスピーカ装置５に送信できる。なお、受信部１１、記憶部１２、解析部１３の構成は実施例１と同じ機能を有するため、詳細な説明を省略する。
【００３２】
図５は、実施例２の信号制御を説明するためのフローチャートであり、図６は、図５の妨害信号制御を説明するためのフローチャートである。
図４で説明したリモコン信号中継装置１０では、受信部１１がリモコン装置Ｒからの信号を受信する（図５のステップＳ１０）。この受信結果は記憶部１２や解析部１３の他、例えば送信制御部１４に出力される。
【００３３】
送信制御部１４では、リモコン装置Ｒから受信中のデータの一部から、当該テレビ受信装置１を特定する信号であるか否かを判定する（図５のステップＳ１１、図６のステップＳ２０）。
具体的には例えば、家電製品協会フォーマットによるリモコンコードは、その図示は省略するが、データ無しのリーダ信号、４８ビットのデータ信号、信号終了を示すトレーラ信号、そして、赤外線を出力しないフレームスペースの順に構成されて１つのフレームをなしている。
【００３４】
リーダ信号は、８Ｔのオン期間と４Ｔのオフ期間とからなり、１２Ｔの長さを有する信号で形成されている。また、データ信号は、テレビ受信装置１を識別するためのカスタムコードやテレビ受信装置１を制御するためのデータコードなどで構成され、論理１の場合には１Ｔのオン期間と３Ｔのオフ期間とからなり、論理０の場合には１Ｔのオン期間と１Ｔのオフ期間とからなる。
【００３５】
送信制御部１４は、リーダ信号、データ信号の順に受け取り、例えばデータ信号の一部から当該テレビ受信装置１への制御信号であると判定した場合（図６のステップＳ２０のＹＥＳ）、このテレビ受信装置１に妨害信号を送信させる。これにより、送信部１５は、妨害信号を送信制御部１４から受け取り、当該テレビ受信装置１の受光部に向けて送信する（ステップＳ２１）。
【００３６】
このように、妨害信号がテレビ受信装置１に送信されている間は、テレビ受信装置１は、その操作信号をリモコン装置Ｒから直接には受け取れない。よって、リモコン信号中継装置をテレビ受信装置の受光部を遮蔽しない位置に設けなくて済み、リモコン信号中継装置の設置位置が制約されない。
【００３７】
続いて、送信制御部１４は、データ受信が終了したと判定されるまで、リモコン装置Ｒから信号を受信し続ける。そして、送信制御部１４は、例えばトレーラ信号からデータ受信が終了したと判定した場合（図６のステップＳ２２のＹＥＳ）、このテレビ受信装置１への妨害信号の送信を停止させる。これにより、送信部１５は、テレビ受信装置１の受光部への妨害信号の送信を止める（ステップＳ２３）。
【００３８】
一方、記憶部１２はリモコン装置Ｒからの信号を一旦記憶し（図５のステップＳ１２）、解析部１３がリモコン装置Ｒからの信号を解析する（ステップＳ１３）。送信制御部１４は、解析部１３による信号の解析結果が音声制御に関する信号であるか否かを判定する（ステップＳ１４）。
そして、解析部１３による信号の解析結果が音声制御に関する信号であった場合（ステップＳ１４のＹＥＳ）、送信制御部１４は、テレビ受信装置１への妨害信号の送信を停止させた後に、送信部１５からテレビ受信装置１への当該音声制御に関する信号の送信を禁止し、当該音声制御に関する信号を送信部１５からスピーカ装置５に送信させる。これにより、送信部１５は、当該音声制御に関する信号を記憶部１２から呼び出し、スピーカ装置５のみに送信する（ステップＳ１５）。
【００３９】
このように、音声制御に関する信号はテレビ受信装置１に送信しないで、スピーカ装置５に送信されるので、１つのリモコン装置Ｒで操作可能になる。さらに、スピーカ装置５の例えば音量を制御する場合に、スピーカ装置５に例えばＨＤＭＩ(登録商標)の入出力部を搭載しなくて済むので、スピーカ装置５を安価に製造可能になる。
一方、解析部１３による信号の解析結果が音声制御に関する信号ではない場合（ステップＳ１４のＮＯ）、送信制御部１４は、解析部１３による信号の解析結果が電源のオン／オフ信号であるか否かを判定する（ステップＳ１６）。
【００４０】
そして、解析部１３による信号の解析結果が電源のオン／オフ信号であった場合（ステップＳ１６のＹＥＳ）、送信制御部１４は、テレビ受信装置１への妨害信号の送信を停止させた後に、当該電源のオン／オフ信号を送信部１５からテレビ受信装置１およびスピーカ装置５に送信させる。これにより、送信部１５は、当該電源のオン／オフ信号を記憶部１２から呼び出し、テレビ受信装置１の受光部に向けて送信すると共に、スピーカ装置５に送信する（ステップＳ１７）。
【００４１】
このように、電源のオン／オフ信号はテレビ受信装置１およびスピーカ装置５に送信されるので、テレビ受信装置１とスピーカ装置５を１つのリモコン装置Ｒで操作することができる。
【００４２】
これに対し、解析部１３による信号の解析結果が音声制御に関する信号ではなく（ステップＳ１４のＮＯ）、かつ、電源のオン／オフ信号でもない場合（ステップＳ１６のＮＯ）、送信制御部１４は、テレビ受信装置１に関する他の制御信号を送信部１５からテレビ受信装置１に送信させる。これにより、送信部１５は、当該他の制御信号を記憶部１２から呼び出し、テレビ受信装置１の受光部に向けて送信する（ステップＳ１８）。
【００４３】
（実施例３）
上記実施例１，２では、リモコン信号中継装置とスピーカ装置を別個に構成した例を挙げて説明したが、リモコン信号中継装置はスピーカ装置に内蔵されていてもよい。
【符号の説明】
【００４４】
１…テレビ受信装置、２…受光部、３，４…ケーブル、５…スピーカ装置、１０…リモコン信号中継装置、１１…受信部、１２…記憶部、１３…解析部、１４…送信制御部、１４ａ…妨害信号、１５…送信部。
【図１】
2017169098.tif 000003
【図２】
2017169098.tif 000004
【図３】
2017169098.tif 000005
【図４】
2017169098.tif 000006
【図５】
2017169098.tif 000007
【図６】
2017169098.tif 000008